(57)【要約】【課題】鍵だけでドアの開閉状態を簡単に確認できるようにすることを課題とする。【解決手段】鍵１は、鍵本体１１から出し入れ可能な鍵部１３を有し、鍵部１３を通じてドアから開錠状態又は施錠状態を示す信号を受信して、ＬＣＤ表示部１４に、開錠状態時には「ＯＰＥＮ」のメッセージを表示し、施錠状態時には「ＣＬＯＳＥ」のメッセージを表示する。また、鍵１は、ボタン１２の操作に応じて鍵部１３の出し入れを行う。鍵１の鍵部１３が突出しているときは、ドアの鍵穴に差し込んで開錠、施錠を操作することができ、鍵部１３を収納させているときは、一見、鍵に見えない形状となる。【選択図】      図１
2004257027.tif 000002
【特許請求の範囲】
【請求項１】
ドアの鍵穴に差し込んで開錠又は施錠を行うための表示機能付き鍵であって、
鍵本体と、
前記鍵本体に設けられ、前記鍵穴に差し込んで前記ドアの開錠又は施錠を行うための鍵部と、
前記鍵本体の一面に設けられ、前記ドアの開錠状態又は施錠状態を表示するための表示部と、
を備えたことを特徴とする表示機能付き鍵。
【請求項２】
ドアの鍵穴に差し込んで開錠又は施錠を行うための表示機能付き鍵であって、
前記鍵穴に差し込んで前記ドアの開錠又は施錠を行うための鍵部と、
前記鍵部を出し入れする構造を有し、前記鍵部を収納可能な鍵本体と、
前記鍵本体に設けられ、前記鍵部の出し入れを操作するためのボタンと、
前記鍵本体の一面に設けられ、前記ドアの開錠状態又は施錠状態を表示するための表示部と、
を備えたことを特徴とする表示機能付き鍵。
【請求項３】
前記鍵本体は前記ボタンの操作に応じて前記鍵部の出し入れを制御する機構を有することを特徴とする請求項２に記載の表示機能付き鍵。
【請求項４】
前記鍵部は前記ドアの鍵穴より信号を受信する受信手段を有し、前記鍵本体は前記受信手段により受信された信号に基づいて前記ドアの開錠状態又は施錠状態を判断する判断手段を有し、前記表示部は前記判断手段で判断された結果に基づいて前記ドアの開錠状態又は施錠状態を表示することを特徴とする請求項１、２又は３に記載の表示機能付き鍵。
【請求項５】
前記鍵部は前記ドアより無線信号を受信する受信手段を有し、前記鍵本体は前記受信手段により受信された無線信号に基づいて前記ドアの開錠状態又は施錠状態を判断する判断手段を有し、前記表示部は前記判断手段で判断された結果に基づいて前記ドアの開錠状態又は施錠状態を表示することを特徴とする請求項１、２又は３に記載の表示機能付き鍵。
【請求項６】
鍵とドア間で通信を行うドア開閉状態確認システムであって、
前記ドアは、
開錠状態又は施錠状態を判断する開閉判断手段と、
前記鍵との間で通電して前記開閉判断手段で判断された開錠状態又は施錠状態を示す信号を前記鍵部に送出する通信手段と、
を有し、
前記鍵は、
前記ドアとの間で通電して前記通信手段により送出される信号を受信する受信手段と、
前記受信手段で受信された信号に基づいて前記ドアの開錠状態又は施錠状態を表示する表示手段と、
を有したことを特徴とするドア開閉状態確認システム。
【請求項７】
鍵とドア間で通信を行うドア開閉状態確認システムであって、
前記ドアは、
開錠状態又は施錠状態を判断する開閉判断手段と、
前記鍵との間で無線により交信して前記開閉判断手段で判断された開錠状態又は施錠状態を示す信号を前記鍵部に送出する通信手段と、
を有し、
前記鍵は、
前記ドアとの間で無線により交信して前記通信手段により送出される信号を受信する受信手段と、
前記受信手段で受信された信号に基づいて前記ドアの開錠状態又は施錠状態を表示する表示手段と、
を有したことを特徴とするドア開閉状態確認システム。
【発明の詳細な説明】
【０００１】
【発明の属する技術分野】
本発明は、例えば、表示機能付き鍵及びドア開閉状態確認システムに関する。
【０００２】
【従来の技術】
ストレスの多い現代社会において、ある１つのことが日常生活等に支障をきたすほど気になってしまう、「脅迫神経症」を患っている人の割合は、全人口の約２％を占めている。一生のうちで患う可能性のある人の割合は、全人口の６０〜７０％に達するというデータがある。
【０００３】
症状のひとつに、外出時、玄関のドアの鍵を閉めたにもかかわらず、閉めたかどうかが気になってしまい、何度も確認のために戻るという現象がある。今日、このような症状をもつ人の不安感を少しでも和らげてくれるシステムが期待されている。
【０００４】
近年、外出先からドアの鍵の開錠状態や施錠状態を確認できる技術として、ＩＰｖ６インターネットを利用した情報家電コントローラのシステムが提案されている。
【０００５】
【発明が解決しようとする課題】
上述した提案によるシステムは、インターネットを利用したシステムなので、インターネットに接続できる端末が別途必要になり、システム全体が大掛かりになった。それゆえ、鍵そのもので開錠状態や施錠状態を簡単に確認することができないという不具合があった。
【０００６】
本発明の目的は、鍵だけでドアの開閉状態を簡単に確認することが可能な表示機能付き鍵及びドア開閉状態確認システムを提供することにある。
【０００７】
【課題を解決するための手段】
上述した課題を解決し、上記目的を達成するため、請求項１の発明に係る表示機能付き鍵は、ドアの鍵穴に差し込んで開錠又は施錠を行うための表示機能付き鍵であって、鍵本体と、前記鍵本体に設けられ、前記鍵穴に差し込んで前記ドアの開錠又は施錠を行うための鍵部と、前記鍵本体の一面に設けられ、前記ドアの開錠状態又は施錠状態を表示するための表示部と、を備えたことを特徴とするものである。
【０００８】
また、請求項２の発明に係る表示機能付き鍵は、ドアの鍵穴に差し込んで開錠又は施錠を行うための表示機能付き鍵であって、前記鍵穴に差し込んで前記ドアの開錠又は施錠を行うための鍵部と、前記鍵部を出し入れする構造を有し、前記鍵部を収納可能な鍵本体と、前記鍵本体に設けられ、前記鍵部の出し入れを操作するためのボタンと、前記鍵本体の一面に設けられ、前記ドアの開錠状態又は施錠状態を表示するための表示部と、を備えたことを特徴とするものである。
【０００９】
この請求項２の発明によれば、前記鍵本体は前記ボタンの操作に応じて前記鍵部の出し入れを制御する機構を有してもよい。
【００１０】
この請求項１又は２の発明によれば、前記鍵部は前記ドアの鍵穴より信号を受信する受信手段を有し、前記鍵本体は前記受信手段により受信された信号に基づいて前記ドアの開錠状態又は施錠状態を判断する判断手段を有し、前記表示部は前記判断手段で判断された結果に基づいて前記ドアの開錠状態又は施錠状態を表示するようにしてもよい。
【００１１】
この請求項１又は２の発明によれば、前記鍵部は前記ドアより無線信号を受信する受信手段を有し、前記鍵本体は前記受信手段により受信された無線信号に基づいて前記ドアの開錠状態又は施錠状態を判断する判断手段を有し、前記表示部は前記判断手段で判断された結果に基づいて前記ドアの開錠状態又は施錠状態を表示するようにしてもよい。
【００１２】
請求項６の発明に係るドア開閉状態確認システムは、鍵とドア間で通信を行うドア開閉状態確認システムであって、前記ドアは、開錠状態又は施錠状態を判断する開閉判断手段と、前記鍵との間で通電して前記開閉判断手段で判断された開錠状態又は施錠状態を示す信号を前記鍵部に送出する通信手段と、を有し、前記鍵は、前記ドアとの間で通電して前記通信手段により送出される信号を受信する受信手段と、前記受信手段で受信された信号に基づいて前記ドアの開錠状態又は施錠状態を表示する表示手段と、を有したことを特徴とするものである。
【００１３】
請求項７の発明に係るドア開閉状態確認システムは、鍵とドア間で通信を行うドア開閉状態確認システムであって、前記ドアは、開錠状態又は施錠状態を判断する開閉判断手段と、前記鍵との間で無線により交信して前記開閉判断手段で判断された開錠状態又は施錠状態を示す信号を前記鍵部に送出する通信手段と、を有し、前記鍵は、前記ドアとの間で無線により交信して前記通信手段により送出される信号を受信する受信手段と、前記受信手段で受信された信号に基づいて前記ドアの開錠状態又は施錠状態を表示する表示手段と、を有したことを特徴とするものである。
【００１４】
【発明の実施の形態】
以下に添付図面を参照して、本発明にかかる実施の形態を詳細に説明する。
【００１５】
（実施の形態１）
まず、本実施の形態１による鍵について説明する。図１（Ａ）及び（Ｂ）は本実施の形態１による鍵の一構成を示す側面図である。鍵１は、例えば図１（Ａ）及び（Ｂ）に示したように、鍵本体１１、ボタン１２、鍵部１３、ＬＣＤ表示部１４等により構成される。
【００１６】
鍵本体１１は、矩形状に設けられ、その内部に出し入れ可能な鍵部１３を収納する領域を有している。ボタン１２は、鍵本体１１の一側面に押下可能に設けられ、鍵本体１１に対して鍵部１３の出し入れを操作する機能を有している。鍵部１３は、鍵穴に差し込んでドアの開錠又は施錠を行うものである。ＬＣＤ表示部１４は、鍵本体１１の一側面に設けられ、ドアの開錠状態又は施錠状態を表示する機能を有している。
【００１７】
図１（Ａ）においては、鍵部１３が鍵本体１１に収納されている状態が示されているとともに、ＬＣＤ表示部１４においてドアが施錠状態であることを示すメッセージ「ＣＬＯＳＥ」の表示例が示されている。このように、鍵部１３を収納させた状態への移行は、ボタン１２の操作によって行われる。鍵部１３が鍵本体１１内に収納されている場合には、見た目上、鍵かどうかわかり難い形状及び構成となる。なお、以上の表示例は一例に過ぎず、他のメッセージでもよいことはいうまでもない。
【００１８】
同図（Ｂ）においては、鍵部１３が鍵本体１１から突出している状態が示されているとともに、ＬＣＤ表示部１４においてドアが開錠状態であることを示すメッセージ「ＯＰＥＮ」の表示例が示されている。このように、鍵部１３を突出させた状態への移行は、ボタン１２の操作によって行われる。なお、以上の表示例は一例に過ぎず、他のメッセージでもよいことはいうまでもない。
【００１９】
つづいて、本実施の形態１によるドアについて説明する。図２（Ａ）及び（Ｂ）は本実施の形態１によるドアの一構成を示す側面図である。図２（Ａ）及び（Ｂ）において、２はドアを示している。このドア２は、例えば図２に示したように、ドア本体２１、ドアノブ２２、ストッパ２３等を備えた構成である。このドア２は、ドア２を閉めたときに住宅側のドア枠３０に対向してストッパ２３を設けた側面を面接させる構成である。
【００２０】
図２（Ａ）は、屋外からドア２を見たビューであり、これを外側という。同図（Ｂ）は屋内からドア２を見たビューであり、これを内側という。ドア２は、図２（Ｂ）に示したように、内側に施錠状態信号発生装置２５を設けている。この施錠状態信号発生装置２５は、ドア２がただ閉まっているだけではなく、開錠状態となっているのか施錠状態になっているのかを信号として発生する機能を有している。後述するが、この施錠状態信号発生装置２５により発生する信号は、ドア２１の鍵穴を通して鍵１に送出されるものである。
【００２１】
つぎに、本実施の形態１による鍵の内部構成について説明する。図３は本実施の形態１による鍵内部の一構成を示すブロック図である。鍵１は、例えば図３に示したように、スイッチ３１、突出制御プログラム３２、収納制御プログラム３３、バッテリ３４、開閉判断及び表示制御部３５、端子３６等により構成される回路を有している。なお、鍵１全体の動作は、ＣＰＵによって制御される。
【００２２】
スイッチ３１は、ユーザによるボタン１２の切換え操作によって突出制御プログラム３２又は収納制御プログラム３３に切り換える機能を有している。
【００２３】
突出制御プログラム３２は、スイッチ３１によりセレクトされたとき、鍵部１３を鍵本体１１より突出制御する機能を有している。収納制御プログラム３３は、スイッチ３１によりセレクトされたとき、鍵部１３を鍵本体１１内に収納制御する機能を有している。なお、鍵部１３は、図示せぬが、突出制御プログラム３２及び収納制御プログラム３３に従って動作する、鍵本体１１内に設けられた駆動手段により出し入れを制御される。
【００２４】
バッテリ３４は、鍵１全体に電源を供給する機能を有している。端子３６は、鍵部１３をドア２の鍵穴に差し込んだ際に通電する部分である。開閉判断及び表示制御部３５は、前述したように、ドア２の施錠状態信号発生装置２５から端子３６を介して入力される信号を受信してその信号に基づいて開錠状態か、それとも施錠状態かを判断する機能を有している。
【００２５】
また、この開閉判断及び表示制御部３５は、開錠状態という判断結果を得た際は、例えばメッセージ「ＯＰＥＮ」をＬＣＤ表示部１４に表示させ、一方、施錠状態という判断結果を得た際は、例えばメッセージ「ＣＬＯＳＥ」をＬＣＤ表示部１４に表示させる機能も有している。
【００２６】
つづいて、本実施の形態１による住宅及びドア側の内部構成について説明する。図４は本実施の形態１による住宅及びドア側の一構成を示すブロック図である。図４（Ａ）はドア２内部の回路構成を概略的に示し、同図（Ｂ）は住宅内部の回路構成を概略的に示している。
【００２７】
ドア２は、例えば図４（Ａ）に示したように、鍵１の端子３６に通電する端子４１、図示せぬコンセントに差し込んで電力を取り込むためのプラグ４２、住宅側の回路に通電する端子４４等により構成され、施錠状態信号発生装置２５を接続させた回路を有している。施錠状態信号発生装置２５は、ドア２の開錠状態又は施錠状態を判断し、開錠状態又は施錠状態を示す信号を発生することで、この信号を端子４１を通じて鍵１に送出する機能を有している。
【００２８】
住宅は、例えば図４（Ｂ）に示したように、ドア２の端子４３に通電可能な端子４４、図示せぬコンセントに差し込んで電力を取り込むためのプラグ４５等により構成される回路を有している。
【００２９】
つぎに、本実施の形態１による動作について説明する。図５は本実施の形態１によるドア側の動作を説明するフローチャートであり、図６は本実施の形態１による鍵側の動作を説明するフローチャートである。
【００３０】
鍵１をドア２の鍵穴に差し込むには、まずボタン１２の操作が必要となる。外出の際は、ユーザがボタン１２の操作で鍵部１３を鍵本体１１から突出させ、ドア２の鍵穴に差し込む操作となる。ユーザがドア２を閉めると、まずドア２を閉めたことで、施錠状態信号発生装置２５によりによりその確認が行われる（ステップＳ５１）。
【００３１】
鍵のかけ忘れがあれば、施錠状態信号発生装置２５によりドア２の開錠状態が判断され（ステップＳ５２のＹＥＳルート）、一方、ユーザがしっかりとドア２に鍵をかければ、施錠状態信号発生装置２５によりドア２の施錠状態が判断される（ステップＳ５２のＮＯルート）。
【００３２】
開錠状態の場合には、施錠状態信号発生装置２５により開錠状態を示す信号が発生され（ステップＳ５３）、一方、施錠状態の場合には、施錠状態信号発生装置２５により施錠状態を示す信号が発生される（ステップＳ５４）。このようにして、開錠か施錠かに応じた信号が発生され、鍵穴への鍵部１３の差し込みにより端子３６，４１間の通電により鍵１への信号送出が完了する。
【００３３】
鍵１側においては、開閉判断及び表示制御部３５により端子３６から入力される信号から開錠状態かそれとも施錠状態かの判断がなされる（ステップＳ６１）。その結果、開錠状態の場合には（ステップＳ６１のＹＥＳルート）、ＬＣＤ表示部１４に対してメッセージ「ＯＰＥＮ」の表示制御が行われ、ＬＣＤ表示部１４上に「ＯＰＥＮ」が表示される（ステップＳ６２）。
【００３４】
一方、施錠状態の場合には（ステップＳ６１のＮＯルート）、ＬＣＤ表示部１４に対してメッセージ「ＣＬＯＳＥ」の表示制御が行われ、ＬＣＤ表示部１４上に「ＣＬＯＳＥ」が表示される（ステップＳ６３）。このようにして、ユーザはドア２から離れても鍵１自体から開錠したままなのか、それとも施錠をしっかりしたのかを知ることが可能である。
【００３５】
以上説明したように、本実施の形態１によれば、ネットワークのような大掛かりなシステムは必要なく、鍵をドアの鍵穴に差し込むだけで、鍵の可視表示により鍵からドアの開錠状態又は施錠状態を簡単に確認することが可能である。その結果、外出時に気になる施錠有無の不安を瞬時に解消することができる。
【００３６】
また、鍵は使用時のみ先端の鍵部を本体から突出させ、一方、通常時すなわち携帯時には本体に収納させて、見た目が鍵部に見えなくしたので、携帯性と安全性とを高める効果がある。
【００３７】
（実施の形態２）
さて、上述した実施の形態では、鍵がドア穴より直接信号を受信してドアの開錠状態か施錠状態かを確認できるようにしたが、本発明はこれに限定されるものではなく、鍵とドア間が近距離であれば赤外線、ブルートゥース等の無線通信を用いてドアの開錠状態又は施錠状態を確認できるようにしてもよい。
【００３８】
まず、本実施の形態２による鍵について説明する。図７は本実施の形態２による鍵内部の一構成を示すブロック図である。前述した実施の形態１との差異についてのみ説明すると、開閉判断及び表示制御部３５に代わって受信及び表示制御部７１が設けられている。この受信及び表示制御部７１は、赤外線、ブルートゥース等の近距離の無線電波を捕捉する機能を有しており、前述した実施の形態１の開錠状態か施錠状態かを示す信号をドア側より受信する。
【００３９】
つづいて、本実施の形態２による住居及びドアについて説明する。本実施の形態２では、前述した実施の形態１との間で住居側は同一のため、相違するドアについてのみ説明する。図８は本実施の形態２によるドア側の一構成を示すブロック図である。前述した実施の形態１との差異についてのみ説明すると、施錠状態信号発生装置２５に通信装置８１が接続され、この通信装置８１は赤外線、ブルートゥース等の近距離の無線電波を発信する機能を有している。この通信装置８１は、前述した実施の形態１の開錠状態か施錠状態かを示す信号を無線で送信するので、鍵が電波範囲内であれば無線信号は受信可能である。
【００４０】
つぎに、本実施の形態２による動作について説明する。図９は本実施の形態２によるドア側の動作を説明するフローチャートであり、図１０は本実施の形態２による鍵側の動作を説明するフローチャートである。
【００４１】
ユーザがドア２を閉めると、まずドア２を閉めたことで、施錠状態信号発生装置２５によりによりその確認が行われる（ステップＳ９１）。鍵のかけ忘れがあれば、施錠状態信号発生装置２５によりドア２の開錠状態が判断され（ステップＳ９２のＹＥＳルート）、一方、ユーザがしっかりとドア２に鍵をかければ、施錠状態信号発生装置２５によりドア２の施錠状態が判断される（ステップＳ９２のＮＯルート）。
【００４２】
開錠状態の場合には、施錠状態信号発生装置２５により開錠状態を示す信号が発生され（ステップＳ９３）、通信装置８１により無線通信が行われる（ステップＳ９４）。一方、施錠状態の場合には、施錠状態信号発生装置２５により施錠状態を示す信号が発生され（ステップＳ９５）、通信装置８１により無線通信が行われる（ステップＳ９６）。このようにして、開錠か施錠かに応じた信号が発生され、ドアと鍵との間での赤外線、ブルートゥース等の無線通信により鍵への信号送出が完了する。
【００４３】
鍵側においては、無線装置８１から無線信号が発信されると、鍵がドアから近距離にあれば、受信及び表示制御部７１により無線通信が行われる（ステップＳ１０１）。そして、受信及び表示制御部７１により無線通信により受信された信号から開錠状態かそれとも施錠状態かの判断がなされる（ステップＳ１０２）。その結果、開錠状態の場合には（ステップＳ１０２のＹＥＳルート）、ＬＣＤ表示部１４に対してメッセージ「ＯＰＥＮ」の表示制御が行われ、ＬＣＤ表示部１４上に「ＯＰＥＮ」が表示される（ステップＳ１０３）。
【００４４】
一方、施錠状態の場合には（ステップＳ１０２のＮＯルート）、ＬＣＤ表示部１４に対してメッセージ「ＣＬＯＳＥ」の表示制御が行われ、ＬＣＤ表示部１４上に「ＣＬＯＳＥ」が表示される（ステップＳ１０４）。このようにして、ユーザはドア２から離れても鍵１自体から開錠したままなのか、それとも施錠をしっかりしたのかを知ることが可能である。
【００４５】
以上説明したように、本実施の形態２によれば、前述した実施の形態１と同様の効果が得られるとともに、ネットワークのような大掛かりなシステムは必要なく、鍵とドア間を赤外線、ブルートゥース等の無線通信によりつなぐだけで、鍵の可視表示により鍵からドアの開錠状態又は施錠状態を簡単に確認することが可能である。その結果、外出時に気になる施錠有無の不安を瞬時に解消することができる。
【００４６】
さて、上述した実施の形態１及び２は、鍵と住居との関係を一例として挙げていたが、本発明はこれに限定されるものではなく、密閉空間へのセキュリティを考慮すれば、自動車等への適用も十分に可能である。
【００４７】
【発明の効果】
以上説明したように本発明によれば、鍵だけでドアの開閉状態を簡単に確認することが可能な表示機能付き鍵及びドア開閉状態確認システムを提供できるという効果を奏する。
【図面の簡単な説明】
【図１】本実施の形態１による鍵の一構成を示す側面図である。
【図２】本実施の形態１によるドアの一構成を示す側面図である。
【図３】本実施の形態１による鍵内部の一構成を示すブロック図である。
【図４】本実施の形態１による住宅及びドア側の一構成を示すブロック図である。
【図５】本実施の形態１によるドア側の動作を説明するフローチャートである。
【図６】本実施の形態１による鍵側の動作を説明するフローチャートである。
【図７】本実施の形態２による鍵内部の一構成を示すブロック図である。
【図８】本実施の形態２によるドア側の一構成を示すブロック図である。
【図９】本実施の形態２によるドア側の動作を説明するフローチャートである。
【図１０】本実施の形態２による鍵側の動作を説明するフローチャートである。
【符号の説明】
１  鍵
２  ドア
３  住宅構造
１１  鍵本体
１２  ボタン
１３  鍵部
１４  ＬＣＤ表示部
２１  ドア本体
２２，２４  ドアノブ
２３  ストッパ
２５  施錠状態信号発生装置
３０  ドア枠
３１  スイッチ
３２  突出制御プログラム
３３  収納制御プログラム
３４  バッテリ
３５  開閉判断及び表示制御部
３６  端子
４１，４４  端子
４２，４５  プラグ
７１  受信及び表示制御部
８１  通信装置
【図１】
2004257027.tif 000003
【図２】
2004257027.tif 000004
【図３】
2004257027.tif 000005
【図４】
2004257027.tif 000006
【図５】
2004257027.tif 000007
【図６】
2004257027.tif 000008
【図７】
2004257027.tif 000009
【図８】
2004257027.tif 000010
【図９】
2004257027.tif 000011
【図１０】
2004257027.tif 000012